【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
授業の履修者に対して公開する、前記授業に対応付けられた公開情報と、前記公開情報を公開した日時とを記憶する記憶手段と、
第一の授業に第二の授業を関連付ける関連付け手段と、
前記関連付け手段で第一の授業に第二の授業が関連付けられた日時を取得する取得手段と、
前記関連付け手段で関連付けされた第一の授業及び第二の授業の履修者に提示する画面であって、前記記憶手段に記憶された前記第一の授業の公開情報を含む画面を生成する生成手段と
を備え、
前記生成手段は、前記関連付け手段で関連付けされた第二の授業の履修者に提示する前記画面を生成する場合には、前記記憶手段に記憶された日時と前記取得手段で取得した日時とを用いて、前記関連付け手段で関連付けされる前に公開された前記第一の授業の公開情報が表示されない前記画面を生成することを特徴とする授業管理システム。
【請求項２】
前記生成手段は、前記関連付け手段で関連付けされた第二の授業の履修者に提示する前記画面を生成する場合には、前記記憶手段に記憶された前記第二の授業の公開情報を更に表示可能な前記画面を生成することを特徴とする請求項１に記載の授業管理システム。
【請求項３】
授業の履修者に対して公開する、前記授業に対応付けられた公開情報と、前記公開情報を公開した日時とを記憶する記憶手段と、
第一の授業に第二の授業を関連付ける関連付け手段と、
前記関連付け手段で第一の授業に第二の授業が関連付けられた日時を取得する取得手段と、
前記関連付け手段で関連付けされた第一の授業及び第二の授業の履修者に提示する画面であって、前記記憶手段に記憶された前記第一の授業の公開情報を含む画面を生成する生成手段と
を備え、
前記生成手段は、前記関連付け手段で関連付けされた第二の授業の履修者に提示する前記画面を生成する場合には、前記記憶手段に記憶された日時と前記取得手段で取得した日時とを用いて、前記関連付け手段で関連付けされる前に公開された前記第二の授業の公開情報を表示可能な前記画面を生成することを特徴とする授業管理システム。
【請求項４】
前記生成手段は、前記関連付け手段で関連付けされた第一の授業の履修者に提示する前記画面を生成する場合には、前記記憶手段に記憶された日時と前記取得手段で取得した日時とを用いて、前記関連付け手段で関連付けされる前に公開された前記第二の授業の公開情報が表示されない前記画面を生成することを特徴とする請求項１乃至３のいずれか１項に記載の授業管理システム。
【請求項５】
前記生成手段は、前記公開情報ごとのステータスを更に表示可能な前記画面を生成することを特徴とする請求項１乃至４のいずれか１項に記載の授業管理システム。
【請求項６】
前記画面は、Ｗｅｂブラウザで表示可能なＷｅｂページであることを特徴とする請求項１乃至５のいずれか１項に記載の授業管理システム。
【請求項７】
授業の履修者に対して公開する、前記授業に対応付けられた公開情報と、前記公開情報を公開した日時とを記憶する記憶手段を備える授業管理システムの制御方法であって、
前記授業管理システムの関連付け手段が、第一の授業に第二の授業を関連付ける関連付けステップと、
前記授業管理システムの取得手段が、前記関連付けステップで第一の授業に第二の授業が関連付けられた日時を取得する取得ステップと、
前記授業管理システムの生成手段が、前記関連付けステップで関連付けされた第一の授業及び第二の授業の履修者に提示する画面であって、前記記憶手段に記憶された前記第一の授業の公開情報を含む画面を生成する生成ステップと
を備え、
前記生成ステップは、前記関連付けステップで関連付けされた第二の授業の履修者に提示する前記画面を生成する場合には、前記記憶手段に記憶された日時と前記取得ステップで取得した日時とを用いて、前記関連付けステップで関連付けされる前に公開された前記第一の授業の公開情報が表示されない前記画面を生成することを特徴とする授業管理システムの制御方法。
【請求項８】
授業の履修者に対して公開する、前記授業に対応付けられた公開情報と、前記公開情報を公開した日時とを記憶する記憶手段を備える授業管理システムの制御方法を実行可能なプログラムであって、
前記授業管理システムを、
第一の授業に第二の授業を関連付ける関連付け手段と、
前記関連付け手段で第一の授業に第二の授業が関連付けられた日時を取得する取得手段と、
前記関連付け手段で関連付けされた第一の授業及び第二の授業の履修者に提示する画面であって、前記記憶手段に記憶された前記第一の授業の公開情報を含む画面を生成する生成手段
として機能させ、
前記生成手段は、前記関連付け手段で関連付けされた第二の授業の履修者に提示する前記画面を生成する場合には、前記記憶手段に記憶された日時と前記取得手段で取得した日時とを用いて、前記関連付け手段で関連付けされる前に公開された前記第一の授業の公開情報が表示されない前記画面を生成することを特徴とするプログラム。
【請求項９】
授業の履修者に対して公開する、前記授業に対応付けられた公開情報と、前記公開情報を公開した日時とを記憶する記憶手段と、
第一の授業に第二の授業を関連付ける関連付け手段と、
前記関連付け手段で第一の授業に第二の授業が関連付けられた日時を取得する取得手段と、
前記関連付け手段で関連付けされた第一の授業及び第二の授業の履修者に提示する画面であって、前記記憶手段に記憶された前記第一の授業の公開情報を含む画面を生成する生成手段と
を備え、
前記生成手段は、前記関連付け手段で関連付けされた第二の授業の履修者に提示する前記画面を生成する場合には、前記記憶手段に記憶された日時と前記取得手段で取得した日時とを用いて、前記関連付け手段で関連付けされる前に公開された前記第一の授業の公開情報が表示されない前記画面を生成することを特徴とする授業管理装置。
【請求項１０】
授業の履修者に対して公開する、前記授業に対応付けられた公開情報と、前記公開情報を公開した日時とを記憶する記憶手段を備える授業管理装置の制御方法であって、
前記授業管理装置の関連付け手段が、第一の授業に第二の授業を関連付ける関連付けステップと、
前記授業管理装置の取得手段が、前記関連付けステップで第一の授業に第二の授業が関連付けられた日時を取得する取得ステップと、
前記授業管理装置の生成手段が、前記関連付けステップで関連付けされた第一の授業及び第二の授業の履修者に提示する画面であって、前記記憶手段に記憶された前記第一の授業の公開情報を含む画面を生成する生成ステップと
を備え、
前記生成ステップは、前記関連付けステップで関連付けされた第二の授業の履修者に提示する前記画面を生成する場合には、前記記憶手段に記憶された日時と前記取得ステップで取得した日時とを用いて、前記関連付けステップで関連付けされる前に公開された前記第一の授業の公開情報が表示されない前記画面を生成することを特徴とする授業管理装置の制御方法。
【請求項１１】
授業の履修者に対して公開する、前記授業に対応付けられた公開情報と、前記公開情報を公開した日時とを記憶する記憶手段を備える授業管理装置の制御方法を実行可能なプログラムであって、
前記授業管理装置を、
第一の授業に第二の授業を関連付ける関連付け手段と、
前記関連付け手段で第一の授業に第二の授業が関連付けられた日時を取得する取得手段と、
前記関連付け手段で関連付けされた第一の授業及び第二の授業の履修者に提示する画面であって、前記記憶手段に記憶された前記第一の授業の公開情報を含む画面を生成する生成手段
として機能させ、
前記生成手段は、前記関連付け手段で関連付けされた第二の授業の履修者に提示する前記画面を生成する場合には、前記記憶手段に記憶された日時と前記取得手段で取得した日時とを用いて、前記関連付け手段で関連付けされる前に公開された前記第一の授業の公開情報が表示されない前記画面を生成することを特徴とするプログラム。
【請求項１２】
授業の履修者に対して公開する、前記授業に対応付けられた公開情報と、前記公開情報を公開した日時とを記憶する記憶手段を備える授業管理システムの制御方法であって、
前記授業管理システムの関連付け手段が、第一の授業に第二の授業を関連付ける関連付けステップと、
前記授業管理システムの取得手段が、前記関連付けステップで第一の授業に第二の授業が関連付けられた日時を取得する取得ステップと、
前記授業管理システムの生成手段が、前記関連付けステップで関連付けされた第一の授業及び第二の授業の履修者に提示する画面であって、前記記憶手段に記憶された前記第一の授業の公開情報を含む画面を生成する生成ステップと
を備え、
前記生成ステップは、前記関連付けステップで関連付けされた第二の授業の履修者に提示する前記画面を生成する場合には、前記記憶手段に記憶された日時と前記取得ステップで取得した日時とを用いて、前記関連付けステップで関連付けされる前に公開された前記第二の授業の公開情報を表示可能な前記画面を生成することを特徴とする授業管理システムの制御方法。
【請求項１３】
授業の履修者に対して公開する、前記授業に対応付けられた公開情報と、前記公開情報を公開した日時とを記憶する記憶手段を備える授業管理システムの制御方法を実行可能なプログラムであって、
前記授業管理システムを、
第一の授業に第二の授業を関連付ける関連付け手段と、
前記関連付け手段で第一の授業に第二の授業が関連付けられた日時を取得する取得手段と、
前記関連付け手段で関連付けされた第一の授業及び第二の授業の履修者に提示する画面であって、前記記憶手段に記憶された前記第一の授業の公開情報を含む画面を生成する生成手段
として機能させ、
前記生成手段は、前記関連付け手段で関連付けされた第二の授業の履修者に提示する前記画面を生成する場合には、前記記憶手段に記憶された日時と前記取得手段で取得した日時とを用いて、前記関連付け手段で関連付けされる前に公開された前記第二の授業の公開情報を表示可能な前記画面を生成することを特徴とするプログラム。
【請求項１４】
授業の履修者に対して公開する、前記授業に対応付けられた公開情報と、前記公開情報を公開した日時とを記憶する記憶手段と、
第一の授業に第二の授業を関連付ける関連付け手段と、
前記関連付け手段で第一の授業に第二の授業が関連付けられた日時を取得する取得手段と、
前記関連付け手段で関連付けされた第一の授業及び第二の授業の履修者に提示する画面であって、前記記憶手段に記憶された前記第一の授業の公開情報を含む画面を生成する生成手段と
を備え、
前記生成手段は、前記関連付け手段で関連付けされた第二の授業の履修者に提示する前記画面を生成する場合には、前記記憶手段に記憶された日時と前記取得手段で取得した日時とを用いて、前記関連付け手段で関連付けされる前に公開された前記第二の授業の公開情報を表示可能な前記画面を生成することを特徴とする授業管理装置。
【請求項１５】
授業の履修者に対して公開する、前記授業に対応付けられた公開情報と、前記公開情報を公開した日時とを記憶する記憶手段を備える授業管理装置の制御方法であって、
前記授業管理装置の関連付け手段が、第一の授業に第二の授業を関連付ける関連付けステップと、
前記授業管理装置の取得手段が、前記関連付けステップで第一の授業に第二の授業が関連付けられた日時を取得する取得ステップと、
前記授業管理装置の生成手段が、前記関連付けステップで関連付けされた第一の授業及び第二の授業の履修者に提示する画面であって、前記記憶手段に記憶された前記第一の授業の公開情報を含む画面を生成する生成ステップと
を備え、
前記生成ステップは、前記関連付けステップで関連付けされた第二の授業の履修者に提示する前記画面を生成する場合には、前記記憶手段に記憶された日時と前記取得ステップで取得した日時とを用いて、前記関連付けステップで関連付けされる前に公開された前記第二の授業の公開情報を表示可能な前記画面を生成することを特徴とする授業管理装置の制御方法。
【請求項１６】
授業の履修者に対して公開する、前記授業に対応付けられた公開情報と、前記公開情報を公開した日時とを記憶する記憶手段を備える授業管理装置の制御方法を実行可能なプログラムであって、
前記授業管理装置を、
第一の授業に第二の授業を関連付ける関連付け手段と、
前記関連付け手段で第一の授業に第二の授業が関連付けられた日時を取得する取得手段と、
前記関連付け手段で関連付けされた第一の授業及び第二の授業の履修者に提示する画面であって、前記記憶手段に記憶された前記第一の授業の公開情報を含む画面を生成する生成手段
として機能させ、
前記生成手段は、前記関連付け手段で関連付けされた第二の授業の履修者に提示する前記画面を生成する場合には、前記記憶手段に記憶された日時と前記取得手段で取得した日時とを用いて、前記関連付け手段で関連付けされる前に公開された前記第二の授業の公開情報を表示可能な前記画面を生成することを特徴とするプログラム。
【手続補正２】
【補正対象書類名】明細書
【補正対象項目名】発明の名称
【補正方法】変更
【補正の内容】
【発明の名称】授業管理システム、その制御方法、及びプログラム、並びに授業管理装置、その制御方法、及びプログラム
【手続補正３】
【補正対象書類名】明細書
【補正対象項目名】０００１
【補正方法】変更
【補正の内容】
【０００１】
複数の授業が関連付けされた場合であっても、関連付けされる前に公開された情報を授業の履修者に対して適切に提示可能な授業管理システム、その制御方法、及びプログラム、並びに授業管理装置、その制御方法、及びプログラムに関する。
【手続補正４】
【補正対象書類名】明細書
【補正対象項目名】０００９
【補正方法】変更
【補正の内容】
【０００９】
本発明は、複数の授業が関連付けされた場合であっても、関連付けされる前に公開された情報を授業の履修者に対して適切に提示可能な仕組みを提供することを目的とする。
【手続補正５】
【補正対象書類名】明細書
【補正対象項目名】００１０
【補正方法】変更
【補正の内容】
【００１０】
上記の目的を達成するために、本発明の授業管理システムは、授業の履修者に対して公開する、前記授業に対応付けられた公開情報と、前記公開情報を公開した日時とを記憶する記憶手段と、第一の授業に第二の授業を関連付ける関連付け手段と、前記関連付け手段で第一の授業に第二の授業が関連付けられた日時を取得する取得手段と、前記関連付け手段で関連付けされた第一の授業及び第二の授業の履修者に提示する画面であって、前記記憶手段に記憶された前記第一の授業の公開情報を含む画面を生成する生成手段とを備え、前記生成手段は、前記関連付け手段で関連付けされた第二の授業の履修者に提示する前記画面を生成する場合には、前記記憶手段に記憶された日時と前記取得手段で取得した日時とを用いて、前記関連付け手段で関連付けされる前に公開された前記第一の授業の公開情報が表示されない前記画面を生成することを特徴とする。また、本発明の授業管理システムは、授業の履修者に対して公開する、前記授業に対応付けられた公開情報と、前記公開情報を公開した日時とを記憶する記憶手段と、第一の授業に第二の授業を関連付ける関連付け手段と、前記関連付け手段で第一の授業に第二の授業が関連付けられた日時を取得する取得手段と、前記関連付け手段で関連付けされた第一の授業及び第二の授業の履修者に提示する画面であって、前記記憶手段に記憶された前記第一の授業の公開情報を含む画面を生成する生成手段とを備え、前記生成手段は、前記関連付け手段で関連付けされた第二の授業の履修者に提示する前記画面を生成する場合には、前記記憶手段に記憶された日時と前記取得手段で取得した日時とを用いて、前記関連付け手段で関連付けされる前に公開された前記第二の授業の公開情報を表示可能な前記画面を生成することを特徴とする。

【手続補正６】
【補正対象書類名】明細書
【補正対象項目名】００１１
【補正方法】変更
【補正の内容】
【００１１】
本発明によれば、複数の授業が関連付けされた場合であっても、関連付けされる前に公開された情報を授業の履修者に対して適切に提示可能となる。